(57)【要約】【課題】  本考案は、定規体よりも大きな物の長さを簡単に計測することができる回転定規を新規に提供するものである。【解決手段】  本考案は長方形，名刺形，カード形などにて形成する定規体の１乃至４辺に長さ計測用の目盛を付すとともに該定規体の１辺の中間または１角乃至４角に回し穴を設け、該回し穴に刺し立てするボールペンなどの細軸をもとに定規体を９０°乃至３６０°回転して２辺以上の目盛のつながりにより該定規体より大きい物の長さを計測し得るようにしたことを特徴にしている。【選択図】図２
0003159895.tif 000002
【実用新案登録請求の範囲】
【請求項１】
長方形，名刺形，カード形のいずれかの形状にて形成する定規体の１乃至４辺に長さ計測用の連続した目盛を付すとともに該定規体の１辺の中間点または１角乃至４角に回し穴を設け、該回し穴に刺し立てするボールペンなどの細軸をもとに該定規体を９０°乃至３６０°回転して２辺以上の目盛のつながりにより該定規体より大きい物の長さを計測し得るようにしたことを特徴とする回転定規。
【請求項２】
長さ計測用の目盛は内側に２段乃至３段にて累計目盛を設ける請求項１に記載の回転定規。
【請求項３】
定規体は回し穴を設けた角を丸めて角とりする請求項１または２に記載の回転定規。
【請求項４】
定規体はルーペを嵌め取付けする請求項１乃至３のいずれかに記載の回転定規。
【請求項５】
定規体は一面または両面を名入れを含むコマーシャルスペースとする請求項１乃至４のいずれかに記載の回転定規。
【請求項６】
定規体は１端に飾り紐を取付けて栞とする請求項１乃至５のいずれかに記載の回転定規。
【請求項７】
定規体は１辺に綴じ込み穴を設けて手帳内に取出し自在に綴じ込みする請求項１乃至５のいずれかに記載の回転定規。
【考案の詳細な説明】
【技術分野】
【０００１】
この考案は回転定規、詳しくは定規体よりも大きい物の長さを計測することができる回転定規に関するものである。
【背景技術】
【０００２】
従来、長さを測定する定規はものさしと称して、長手側の１辺または２辺に計測用のメジャー目盛を付している。
【特許文献１】なし
【考案の開示】
【考案が解決しようとする課題】
【０００３】
しかしながら従来の定規、特に携帯に便利な小さな定規においては定規の長さより長い物を測るのに難儀しているという課題がある。一般的には先づ測れる長さの限度で目印を付けて一旦定規を外し、外した定規を目印から先に当て直して残りの長さを測ってきたという面倒があった。
【課題を解決するための手段】
【０００４】
本考案は、長方形，名刺形，カード形のいずれかの形状にて形成する定規体の１乃至４辺に長さ計測用の連続した目盛を付すとともに１辺の中間点または１角乃至４角に回し穴を設けて、該回し穴に刺し立てするボールペンなどの細軸をもとに該定規体を９０°乃至３６０°回転させることで２辺以上の目盛のつながりにより該定規体より大きい物の長さを簡単に計測し得るようにして、かかる課題を解消したのである。
【考案の効果】
【０００５】
本考案は回し穴に刺し立てする細軸をもとに定規体を９０°乃至３６０°回転させることで定規体より長い物の長さを簡単に計測することができるという効果を生ずる。
【０００６】
１辺の中間点に設ける回し穴にて定規体を回転することで三角形，四角形などの角を挟んだ２辺の長さを簡易に計測することができるという効果を生ずる。
【０００７】
長さ計測用の目盛の内側に２段乃至３段にて累計目盛を付すことで合計長さを簡単に測定し得るという効果を生ずる。
【０００８】
回し穴を付した定規体の角を角とりすることで、定規体を物に突き当てて回して物の長さを計測することができるという効果を生ずる。
【０００９】
定規体を栞として使用することができる効果がある。またルーペとして使用することができるという効果を生ずる。名刺入れ，定期入れに入れまたは手帳に綴じ込みして携帯することができるという効果を生ずる。
【図面の簡単な説明】
【００１０】
【図１】第１実施例の回転定規を示す平面図
【図２】（ａ）は同、計測対象の線に定規を合わせて回し穴にペン先を刺し立てた状態、（ｂ）はペン先をもとに定規体を９０°回転させて残りを計測している状態を示す説明図
【図３】カード形の定規体を示す平面図と同、９０°回転による計測の状態を示す平面図
【図４】第１実施例の定規体を１８０°回転させた計測例を示す平面図
【図５】長辺の目盛の内側に逆さ数字の累計目盛を設けた平面図
【図６】相対する長辺２辺とその間の短辺に目盛を設け、各辺間に２個の回し穴を設けた実施例で、２個の回し穴を順次使用して９０°づつ回転して計測する使用状態を示す平面図
【図７】長辺の目盛の内側に並び方向を切り返す２段の累計目盛を設けるとともに０基点位置に２個目の回し穴を設けて１８０°回転を２回繰り返して累計目盛にて計測することができるようにした実施例を示す平面図
【図８】（ａ）は４辺に目盛を設け、３角に回し穴を設けて２７０°回転にて計測できるようにした実施例、（ｂ）は４辺に目盛（累計目盛）を設け且つ４角に回し穴を設けて３６０°回転して計測できるようにした実施例を示す平面図
【図９】計測対象の物の端面に定規体を突き当て回転させる状態を示す平面図
【図１０】（ａ）は長辺側の中心位置に回し穴と該回し穴の位置から両側に数値の増える目盛を設けた実施例を示す平面図、（ｂ）（ｃ）はその使用状態図
【図１１】飾り紐を付けて栞として使用できるようにした例を示す平面図と背面図
【図１２】定規体の内側中間にルーペを嵌付けた例を示す平面図と栞としての使用状態を示す斜視図
【図１３】定規体に綴じ込み穴を設けて手帳内に取出し自在に綴じ込みした例を示す斜視図
【符号の説明】
【００１１】
１は定規体
２ａ，２ｂ，２ｃ，２ｄはメジャー目盛
２ｅは累計目盛
２ｆは左右に数値の増える目盛
３ａ，３ｂ，３ｃ，３ｄ，３ｅは回し穴
４はルーペ
５は綴じ込み穴
Ｋは飾り紐
Ｓは栞
Ｃはコマーシャルスペース
Ｎはノート
Ｍは手帳
Ｒは開閉リング
イはボールペンのペン先
ロは平面体
ハは計測対象の線
ニ，ホは同、角を挟んだ２辺
トは計測測対象の物
【考案を実施するための最良の形態】
【００１２】
本考案は、長方形，名刺形，カード形のいずれかにて携帯形の定規体を形成し、該定規体の１乃至４辺に長さ計測用の連続した目盛を付すとともに１辺の中間点または１角乃至４角の隅に回し穴を設け、該回し穴に刺し立てするボールペンなどの細軸をもとに該定規体を９０乃至３６０°回転して１辺の目盛に他辺の目盛を順次プラスすることで該定規体より長い物の長さを即座に計測し得るようにする。
【実施例１】
【００１３】
図１は本考案の回転定規の第１実施例であって、０.３ｍｍ乃至１ｍｍ厚程度の透明プラスチック板にて長方形の携帯可能な大きさの定規体１を形成する。相対する長辺の１辺に１２０ｍｍの長さの計測用のメジャー目盛２ａ、同、短辺の１辺に３０ｍｍの長さの計測用のメジャー目盛２ｂを付し、且つ長辺の目盛の終端と短辺の０基点が連続するように重ねるとともに該点の角にボールペンのペン先イが入る程の小さな回し穴３ａを設ける。
【００１４】
平面体ロに描かれた１２０ｍｍより少し長いと思われる線ハの長さを測るときは、図２（ａ）に示すように線ハの一端に長辺の目盛２ａの０基点を合わせて平行させ、１２０ｍｍ先の回し穴３ａにボールペンのペン先イを刺し立て、このペン先イを軸にして定規体１を図２（ｂ）に示すように矢印に沿って９０°回転させて立てて、短辺の目盛２ｂを線ハの１２０ｍｍ先に揃えて線ハの終端までの長さを測るのである。短辺の目盛２ｂの０基点は長辺の目盛２ａの１２０ｍｍの終点に重なっているので、１２０ｍｍを足すことで線ハの全長を即座に計測することができることとなる。
【実施例２】
【００１５】
図３は定規体１を名刺形，カード形の四角形にて形成した第２実施例を示すもので、長辺に７０ｍｍの目盛２ａ、端辺に４０ｍｍの目盛２ｂを付して手帳，財布の名刺入れ，カード入れなどに収納して携帯することができるようにしたほかは上記の実施例と同じである。
【００１６】
なお線ハの長さが長辺と短辺の目盛２ａ，２ｂの合計よりも長いときは、図４に示すように定規体１を１８０°回転させて、長辺の目盛２ａの１２０ｍｍまたは７０ｍｍの連続により線ハの長さを計測するのである。いずれの場合も回し穴３ａを支点にして定規体１を回転するので、従来のように線ハの途中に目印を付ける必要がなく、また計測ズレも生じないので線ハの長さを正確に計測することができるようになる。
【実施例３】
【００１７】
図５は長辺の目盛２ａの内側に終端から基端側に向けて逆さ数字の累計目盛２ｅを設けた第３実施例を示すもので、１８０°回転したときに累計目盛２ｅが正対することで計測数字の読みづらさと計算の煩わしさが解消されることとなる。
【実施例４】
【００１８】
図６は定規体１の相対両側の長辺にメジャー目盛２ａ，２ｃを付し、目盛２ｂを付した短辺との間で２個の回し穴３ａ，３ｂを設けた第４実施例を示すもので、目盛２ｂ，２ｃは目盛２ａの０基点からの累計目盛２ｅにしている。
図に示すように回し穴３ａに刺したペン先イで定規体１をメジャー目盛２ｂ側に９０°回転させ、次いで回し穴３ｂを利用してメジャー目盛２ｃ側に９０°回転することで目盛２ａ，２ｂ，２ｃのつながりにて長い線ハの長さを測ることができるようにしたのである。
【実施例５】
【００１９】
図７は長辺目盛２ａの０基点の位置に第２の回し穴３ｄを設けて、１８０°回転したあと、先端となる第２の回し穴３ｄを軸に１８０°先延ばし回転して長大物を計測する第５実施例を示すもので、累計目盛２ｅは３段にして合計値がわかるようにする。
【実施例６】
【００２０】
図８（ａ）は四辺に連続した目盛２ａ乃至２ｄを付し、各目盛間の角に回し穴３ａ，３ｂ，３ｃを設けて定規体１を９０°づつ３回回転できるようにして四辺の目盛の合計値にて線ハの長さを測ることもできるようにした実施例を示すものである。図８（ｂ）は残る角にも回し穴３ｄを設け、且つ目盛２ａに平行して累計目盛２ｅを設けて３６０°回転にて計測できるようにした実施例を示すものである。
【００２１】
なお、以上の実施例において、定規体１の回し穴３を付した角は丸めて角を落としたので、図９に示すように物トの側面に定規体を突き当てて回転させることができる。
【実施例７】
【００２２】
図１０は定規体１の一側長辺の中間点である中心位置に回し穴３ｅを設け、回し穴３ｅの位置を０基点にして両側に数値が増える２段目盛２ｆを設けた第７実施例を示すものであって、平面体ロなどに描かれた矩形等の角を挟んだ縦横の２辺ニ，ホの長さを測る際、先づ回し穴３ｅを２辺の角に合わせて横の辺ニの長さを測り、次いで回し穴３ｆにペン先イを刺し立てて定規体１を９０°回転させて縦の辺ホの長さを測り足すことで素早く角を挟んだ縦横の２辺ニ，ホの合計長さを計測することができるものとなる。なお、前記各実施例と同様にメジャー目盛２ｂ乃至２ｄ、累計目盛２ｅ、回し穴３ａ乃至３ｄのいずれかを同時に設けることもできる。
【実施例８】
【００２３】
図１１は定規体１の１端などに飾り紐Ｋを取付けて本，ノートなどの栞Ｓとし、さらに一面または両面を名入れを含むコマーシャルスペースＣとして、カレンダー，広告メッセージなどを印刷するようにした第８実施例を示すもので、そのほかは上記の各実施例と同じである。
【実施例９】
【００２４】
図１２は定規体１の内側中間にルーペ４を嵌付けまたは一体成形した第９実施例で、ノートＮなどに栞Ｓとして挟んで使用するほか手に持って拡大鏡としても利用することができるようにしたのである。
【実施例１０】
【００２５】
図１３は定規体１にバインダー式手帳Ｍの開閉リングＲに合わせて綴じ込み穴５を設けて、手帳Ｍ内に取出し自在において綴じ込みするようにした第１０実施例を示すもので、そのほかは上記した各実施例のいずれかと同じである。
【産業上の利用可能性】
【００２６】
本考案は、定規体より長い物の長さを便利に測ることのできる回転定規として広く利用することができるものである。
【図１】
0003159895.tif 000003
【図２】
0003159895.tif 000004
【図３】
0003159895.tif 000005
【図４】
0003159895.tif 000006
【図５】
0003159895.tif 000007
【図６】
0003159895.tif 000008
【図７】
0003159895.tif 000009
【図８】
0003159895.tif 000010
【図９】
0003159895.tif 000011
【図１０】
0003159895.tif 000012
【図１１】
0003159895.tif 000013
【図１２】
0003159895.tif 000014
【図１３】
0003159895.tif 000015